(57)【特許請求の範囲】
【請求項１】
電子ビューファインダーに被写体像を表示するために連続的撮像を行う一方で、所定の操作により記録用撮像を行うデジタルカメラであって、
(a）主要被写体を検出する主要被写体検出手段と、
(b）前記主要被写体検出手段の検出結果に基づいて測光を行う適応測光モードと、前記主要被写体検出手段の検出結果によらず測光を行う固定測光モードとを選択的に設定して露出制御を行う露出制御手段と、
を備え、
前記記録用撮像を行う際には、前記適応測光モードに設定して露出制御を行う一方で、前記連続的撮像を行う際には、前記固定測光モードに設定して露出制御を行うことを特徴とするデジタルカメラ。
【請求項２】
請求項１に記載のデジタルカメラにおいて、
前記主要被写体検出手段は、撮像エリア中の複数の焦点検出エリアにおける被写体の距離情報に基づき、前記主要被写体を検出することを特徴とするデジタルカメラ。
【請求項３】
請求項１または請求項２に記載のデジタルカメラにおいて、
(c）記録用の撮影を指示する入力手段、
をさらに備え、
前記入力手段による指示に応答して、前記適応測光モードに設定して露出制御を行うことを特徴とするデジタルカメラ。
【請求項４】
請求項３に記載のデジタルカメラにおいて、
前記入力手段は、記録用の撮影予告に係る操作入力が可能となっており、
前記操作入力に応答して、前記固定測光モードに設定して露出制御を行うことを特徴とするデジタルカメラ。
【発明の詳細な説明】
【０００１】
【発明の属する技術分野】
本発明は、デジタルカメラに関し、特に測光についての改良に関する。
【０００２】
【従来の技術】
近年、従来の銀塩フィルム式カメラに代わって、被写体からの光学像を撮像素子により電気画像信号に変換し、各電気画像信号を従来のフィルムに相当する磁気ディスクや着脱自在なカード型の半導体メモリ等の記録媒体に記録するデジタルカメラが実用化されている。
【０００３】
また、高性能の自動焦点（ＡＦ）、自動露出（ＡＥ）機能を持ったデジタルカメラも数多く実用化されている。このようなデジタルカメラでは、複数の焦点検出エリアを持ち、この焦点検出の状態から合焦すべき主たる被写体を検出し、この被写体の位置に応じた測光を行うものがある。この測光結果を露出制御に活用することにより、適正な露出状態の画像が取得できる。
【０００４】
【発明が解決しようとする課題】
ところが、上記の構成のデジタルカメラにおいて、被写体が移動しているときなど被写体の位置が変化する場合には、露出条件がそれに従って変化してしまう。この露出条件の変化により、ライブビュー表示、すなわち液晶ディスプレイ（ＬＣＤ）などに連続的に被写体を表示する場合、画面の明るさが変化したり、ちらつきが生じてしまい安定した画像を表示するのが困難となる。
【０００５】
本発明は、上記課題に鑑みてなされたものであり、記録用の撮影の際には適正な露出状態の画像を取得できるとともに、ライブビュー表示の際には安定した画像を表示できるデジタルカメラを提供することを目的とする。
【０００６】
【課題を解決するための手段】
上記の課題を解決するため、請求項１の発明は、電子ビューファインダーに被写体像を表示するために連続的撮像を行う一方で、所定の操作により記録用撮像を行うデジタルカメラであって、(a）主要被写体を検出する主要被写体検出手段と、(b）前記主要被写体検出手段の検出結果に基づいて測光を行う適応測光モードと、前記主要被写体検出手段の検出結果によらず測光を行う固定測光モードとを選択的に設定して露出制御を行う露出制御手段と、を備え、前記記録用撮像を行う際には、前記適応測光モードに設定して露出制御を行う一方で、前記連続的撮像を行う際には、前記固定測光モードに設定して露出制御を行う。
【０００７】
また、請求項２の発明は、請求項１の発明に係るデジタルカメラにおいて、前記主要被写体検出手段は、撮像エリア中の複数の焦点検出エリアにおける被写体の距離情報に基づき、前記主要被写体を検出する。
【０００８】
また、請求項３の発明は、請求項１または請求項２の発明に係るデジタルカメラにおいて、(c）記録用の撮影を指示する入力手段、をさらに備え、前記入力手段による指示に応答して、前記適応測光モードに設定して露出制御を行う。
また、請求項４の発明は、請求項３の発明に係るデジタルカメラにおいて、前記入力手段は、記録用の撮影予告に係る操作入力が可能となっており、前記操作入力に応答して、前記固定測光モードに設定して露出制御を行う。
【０００９】
【発明の実施の形態】
＜デジタルカメラの要部構成＞
図１〜図４は、本発明の第１実施形態に係るデジタルカメラ１の要部構成を示す図であり、図１は正面図、図２は背面図、図３は側面図、図４は底面図に相当する。これらの図は必ずしも三角図法に則っているものではなく、デジタルカメラ１の要部構成を概念的に例示することを主眼としている。
【００１０】
デジタルカメラ１は、図１に示すように、箱形のカメラ本体部２と直方体状の撮像部３（太線で図示）とから構成されている。撮像部３は撮像レンズであるマクロ機能付きズームレンズの後方位置の適所にＣＣＤ(Charge Coupled Device)カラーエリアセンサを備えた撮像回路が設けられている。また、銀塩レンズシャッターカメラと同様に、撮像部３内の適所にフラッシュ光の被写体からの反射光を受光する調光センサ３０５を備えた調光回路と、また光学ファインダー３１が設けられている。
【００１１】
一方、撮像部本体３の内部には、上記ズ−ムレンズのズーム比の変更と収容位置、撮像位置間のレンズ移動を行うためのズームモータＭ１及び合焦を行うためのモータＭ２と、絞りを調整するためのモータＭ３とが設けられている。
【００１２】
カメラ本体部２の前面には、左端部の適所にグリップ部４が設けられ、中央部の上部適所に内臓フラッシュ５が、カメラ本体部２の上面にはシャッターボタン９が設けられている。
【００１３】
一方、図２に示すように、カメラ本体部２の背面には、略中央に撮影画像のモニタ表示（ビューファインダーに相当）及び記録画像の再生表示等を行うための液晶ディスプレイ（ＬＣＤ：Liquid Crystal Display）１０が設けられている。また、ＬＣＤ１０の下方位置に、デジタルカメラの操作を行うキースイッチ群２６と、電源スイッチ２７とが設けられている。また、電源スイッチ２７の左端には、電源ＯＮ状態で点灯するＬＥＤ２８１、メモリカードにアクセス中状態を表示するＬＥＤ２８２が設けられている。
【００１４】
更に、カメラ本体部２の背面には、「撮影モード」と「再生モード」とを切替設定する撮影／再生モード設定スイッチ１４が設けられている。撮影モードは、写真撮影を行うモードであり、再生モードは、メモリカード８に記録された撮影画像をＬＣＤ１０に再生表示するモードである。モード設定スイッチ１４は、３接点のスライドスイッチからなり、例えば下にセットすると撮影モードが、中央にセットすると再生モードが、上にセットするとメニューモードが設定される。
【００１５】
また、カメラ背面右方には、４連スイッチ２８が設けられており、ボタン２８１、２８２を押すことにより、ズームモータＭ１を駆動することによってズーミングを行い、ボタン２８３、２８４を押すことによって露出補正を行う。
【００１６】
さて、図２において、撮像部３の背面側には、ＬＥＤ表示をオンオフされるためのＬＣＤボタン３２が設けられており、このＬＣＤボタン３２を押す毎にＬＣＤ表示のオンオフ状態が切り替わる。例えば、専ら、光学ファインダー３１のみを用いて撮影するときには、節電の目的で、ＬＣＤ表示をオフするようにする。マクロ撮影時には、マクロボタン３３を押すことにより、フォーカスモータＭ２が駆動されレンズ３０１がマクロ撮影可能な状態になる。
【００１７】
図３の側面図に示すように、デジタルカメラ１の側面には、ＤＣ入力端子２９が設けられている。
【００１８】
図４に示すように、カメラ本体部２の底面には、電池充填室１８とメモリカード８のカード充填室１７とが設けられ、充填口は、クラムシェルタイプの蓋１５により閉塞されるようになっている。また、デジタルカメラ１は、４本の単三形乾電池を直列接続してなる電源電池Ｅを駆動源としている。
【００１９】
＜デジタルカメラ１の機能ブロック＞
図５は、デジタルカメラ１の機能ブロック図である。
【００２０】
まず、撮像部３の内部ブロックに関して説明する。
【００２１】
ＣＣＤ３０３は、レンズ３０１により結像された被写体の光像を、Ｒ（赤）、Ｇ（緑）、Ｂ（青）の色成分の画像信号（各画素で受光された画素信号の信号列からなる信号）に光電変換して出力する。
【００２２】
撮像部３における露出制御は、絞り３０２の調整と、ＣＣＤ３０３の露光量、すなわちシャッタースピードに相当するＣＣＤ３０３の電荷蓄積時間を調整して行われる。被写体コントラストが低コントラスト時に適切な絞り及びシャッタースピードが設定できない場合には、ＣＣＤ３０３から出力される画像信号のレベル調整を行うことにより露光不足による不適正露出が補正される。すなわち、低コントラスト時は、絞りとシャッタースピードとゲイン調整とを組み合わせて露出制御が行われる。画像信号のレベル調整は、信号処理回路３１３内のＡＧＣ回路３１３ｂのゲイン調整において行われる。
【００２３】
タイミングジェネレータ３１４は、タイミング制御回路２０２から送信される基準クロックに基づきＣＣＤ３０３の駆動制御信号を生成するものである。タイミングジェネレータ３１４は、例えば、積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００２４】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路３１３ａとＡＧＣ（オートゲインコントロール）回路３１３ｂとを有し、ＣＤＳ回路３１３ａにより画像信号のノイズの低減を行い、ＡＧＣ回路３１３ｂでゲインを調整することにより画像信号のレベル調整を行う。
【００２５】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から制御部内に設けられたＦＬ制御回路から発光停止信号ＳＴＰが出力される。フラッシュ制御回路２１７は、この発光停止信号ＳＴＰに応答して内蔵フラッシュ５の発光を強制的に停止し、これにより内蔵フラッシュ５の発光量が所定の発光量に制御される。
【００２６】
次に、カメラ本体部２の内部ブロックに関して説明する。
【００２７】
カメラ本体部２内において、Ａ／Ｄ変換部２０５は、画像信号の各画素信号を１０ビットのデジタル信号に変換するものである。Ａ／Ｄ変換部２０５は、タイミング制御回路２０２から入力されるＡ／Ｄ変換用のクロックに基づいて各画素信号（アナログ信号）を１０ビットのデジタル信号に変換する。
【００２８】
カメラ本体部２内部には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
【００２９】
黒レベル補正回路２０６は、Ａ／Ｄ変換された画素信号（以下、画素データ）の黒レベルに補正するものである。また、ＷＢ回路２０７は、γ補正後にホワイトバランスも併せて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画素毎に設定される。
【００３０】
γ補正回路２０８は、画素データのγ特性を補正するものである。画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００３１】
ＶＲＡＭ２１０は、ＬＣＤ１０に再生表示される画像データのバッファメモリである。ＶＲＡＭ２１０は、ＬＣＤ１０の画素数に対応した画像データの記憶容量を有している。
【００３２】
撮影モードにおいて、撮影待機状態においては、撮像部３により所定間隔毎に撮像された画像の各画素データをＡ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ１０に表示される（ライブビュー表示）。これにより撮影者は、ＬＣＤ１０に表示された画像により被写体像を視認することができる。また、再生モードにおいては、メモリカード８から読出された画像が全体制御部２１１で所定の信号処理が施された後、ＶＲＡＭ２１０に転送され、ＬＣＤ１０に再生表示される。
【００３３】
カードＩ／Ｆ２１２は、メモリカード８への画像データの書込み及び画像データの読出しを行うためのインターフェースである。
【００３４】
フラッシュ制御回路２１７は、内蔵フラッシュ５の発光を制御する回路である。フラッシュ制御回路２１７は、全体制御部２１１の制御信号に基づき内蔵フラッシュ５の発光の有無、発光量及び発光タイミング等を制御し、調光回路３０４から入力される発光停止信号ＳＴＰに基づき、内蔵フラッシュ５の発光量を制御する。
【００３５】
ＲＴＣ２１９は、撮影日時を管理するための計時回路である。図示しない別の電源で駆動される。
【００３６】
操作部２５０は、上述した、各種スイッチ、ボタンが設けられている。
【００３７】
シャッターボタン９は、銀塩カメラで採用されているような半押し状態（Ｓ１）と押し込んだ状態（Ｓ２）とが検出可能な２段階スイッチになっている。
【００３８】
全体制御部２１１は、ＣＰＵからなり、上述した撮像部３内及びカメラ本体部２内の各部材の駆動を有機的に制御してデジタルカメラ１の撮影動作を総括制御するものである。なお、図中、点線の矢印は、画像データの流れを示すために便宜的に示したものであって、実際には、画像データは全体制御部２１１を介して各ブロック毎に送られ、そのために、ＤＲＡＭからなるワークメモリ２１１ａ及び、プログラムを格納するためのフラッシュＲＯＭ２１１ｂを内蔵している。
【００３９】
また、全体制御部２１１は、露出演算部を備えており、シャッタースピード（ＳＳ）と絞り３０２との設定を、備えられたプログラムによって演算する。
【００４０】
全体制御部２１１は、撮影モードにおいて、シャッターボタン９により撮影が指示されると、撮影指示後に画像メモリ２０９に取り込まれた画像のサムネイル画像と圧縮率設定スイッチ１２で設定された圧縮率によりＪＰＥＧ方式で圧縮された圧縮画像とを生成し、撮影画像に関するタグ情報（コマ番号、露出値、シャッタースピード、圧縮率、撮影日、撮影時のフラッシュのオンオフのデータ、シーン情報、画像の判定結果等の情報）とともに両画像をメモリカード８に記憶する。
【００４１】
デジタルカメラ１によって記録された画像の各コマは、タグの部分とＪＰＥＧ形式で圧縮された高解像度の画像データ（１６００×１２００画素）とサムネイル表示用の画像データ（８０×６０画素）が記録されている。この１ファイル分の画像データの容量は、約１ＭＢとなっている。
【００４２】
撮影／再生モード設定スイッチ１４を再生モードに設定したときには、メモリカード８内のコマ番号の最も大きな画像データが読み出され、全体制御部２１１内の再生画像生成部２１１ｈにて、データ伸張され、これがＶＲＡＭ２１０に転送されることにより、ＬＣＤ１０には、コマ番号の最も大きな画像すなわち直近に撮影された画像が表示される。
【００４３】
＜ＡＦとＡＥとについて＞
図６は、デジタルカメラ１におけるＡＦおよびとＡＥを説明する図である。以下では、本図を参照しつつ説明を行う。
【００４４】
まず、デジタルカメラ１のＡＦ方式について説明する。
【００４５】
シャッターボタン９が半押し（Ｓ１状態）されると、ＣＣＤ３０３からの撮影画像データが全体制御部２１１に入力され、全体制御部２１１において撮影画像のコントラスト情報が得られる。そして、このコントラスト情報に基づき、ＡＦモータＭ２を駆動させてレンズ３０１位置を移動させつつ、撮影画像のコントラストが最も高くなるようなレンズ３０１の位置を検出する。このコントラストが最大となるレンズ３０１の位置が合焦位置となり、この動作を自動的に行うことで、ＡＦが可能となる。
【００４６】
本実施形態に係るデジタルカメラ１では、撮影画像のコントラストを判定するエリアとして、図６（ａ）に示すように、撮像エリアに対応する撮影画像ＦＲの中に３つのＡＦエリアＰ１、Ｐ２、Ｐ３を有している。図６（ａ）において、横軸Ｘは水平方向を示し、縦軸は垂直方向を示している。これらのＡＦエリアＰ１、Ｐ２、Ｐ３について、レンズ３０１の合焦位置をそれぞれ検出する。つまり、エリア毎に被写体の距離を検出する。そして、レンズ３０１の合焦位置を比較し、主要被写体（人物など）ＳＢまでの距離が最も近くなるＡＦエリアを選択して、このＡＦエリアにおけるレンズ３０１の合焦位置でピントが合わせられる。これにより、主要被写体ＳＢの位置に適応したＡＦ動作が可能となり、より適切な焦点合せが可能となる。また、選択されたＡＦエリアに基づき、撮影画像ＦＲにおける主要被写体ＳＢの位置情報も検出できる。
【００４７】
図６（ａ）の場合では、主要被写体ＳＢがＡＦエリアＰ１に係属しているため、ＡＦエリアＰ１に基づき、合焦が行われることとなる。
【００４８】
次に、デジタルカメラ１のＡＥ方式について説明する。
【００４９】
デジタルカメラ１では、ＡＥに必要な被写体の測光に関して、撮影画像ＦＲを平均的に測光する固定測光モードと、撮影画像ＦＲにおける主要被写体の部分を重点的に測光する適応測光モードとが設けられている。
【００５０】
固定測光モードでは、フラッシュＲＯＭ２１１ｂ内に格納されている１つの測光テーブルＴａ（図６(ｂ)）を用いて、被写体の測光を行う。この測光テーブルＴａについては、横軸が図６（ａ）の横軸Ｘに対応し、縦軸が重み係数ＧＬを示しており、中央部が若干隆起するほぼフラットな曲線で、平均的に被写体を測光できるような重み曲線をデジタルテーブルとして予め設定したものである。被写体の測光では、撮影画像ＦＲの各画素のコントラストに対して、水平方向Ｘに関して対応する測光テーブルＴａの重み係数ＧＬを乗算し、これらを加算することにより、被写体に関する輝度を測定する。そして、測定された輝度に基づき、露出制御が行われシャッタースピードと絞り３０２とが設定される。
【００５１】
適応測光モードでは、フラッシュＲＯＭ２１１ｂ内に格納されている３つの測光テーブルＴp1、Ｔp2、Ｔp3（図６(ｃ)）を用いて、被写体の測光を行う。この測光テーブルＴp1、Ｔp2、Ｔp3については、横軸が図６（ａ）の横軸Ｘに対応し、縦軸が重み係数ＧＬを示しており、ＡＦエリアＰ１、Ｐ２、Ｐ３に対応する箇所がそれぞれ著しく隆起する曲線をデジタルテーブルとして予め設定したものである。被写体の測光では、上記の測光テーブルＴａと同様に被写体の輝度を測定するが、この適応測光モードでは、３つの測光テーブルＴp1、Ｔp2、Ｔp3が、ＡＦ動作で検出した主要被写体ＳＢの位置情報に対応して選択される。例えば、主要被写体ＳＢが図６(ａ)に示す位置である場合には、測光テーブルＴp1が選択されて、被写体の輝度が測定される。このように、撮影画像における主要被写体ＳＢの位置に応じて測光するため、上記の固定測光モードに比べ、被写体に対してより適正な露出が可能となる。
【００５２】
＜デジタルカメラ１の動作＞
デジタルカメラ１については、露出制御に係る動作以外は通常のデジタルカメラと同様の基本動作を行う。以下では、この露出制御に係る動作を説明する。
【００５３】
図７は、デジタルカメラ１の露出制御に係る撮影動作を説明するフローチャートである。
【００５４】
ステップＳＴ１では、シャッターボタン９が半押し（Ｓ１）、すなわち撮影予告されたかを判定する。ここで、半押しされた場合には、ステップＳＴ２に進む。
【００５５】
ステップＳＴ２では、各ＡＦエリアＰ１、Ｐ２、Ｐ３の情報から、主要被写体ＳＢの位置を検出してＡＦを行う。すなわち、ＣＣＤ３０３から全体制御部２１１に送られた撮影画像ＦＲにおけるＡＦエリアＰ１、Ｐ２、Ｐ３のコントラスト情報から主要被写体ＳＢの位置を検出して、主要被写体ＳＢに対して合焦を行う。
【００５６】
ステップＳＴ３では、固定測光モードにより、測光を行う。ここでは、図６（ｂ）に示す測光テーブルＴａを用いて、被写体の輝度を測定する。
【００５７】
ステップＳＴ４では、ステップＳＴ３の測光結果より、ＡＥを行う。すなわち、測光結果に基づき、シャッタースピードと絞り３０２とが設定される。
【００５８】
ステップＳＴ５では、ＬＣＤ１０にライブビュー表示を行う。すなわち、ＣＣＤ３０３により撮像された撮影画像信号を、信号処理回路３１３、Ａ／Ｄ変換部２０５を通って画像メモリ２０９に取り込んだ後、全体制御部２１１を介してＬＣＤ１０に表示する。ここでは、ライブビュー表示のように撮影画像を連続的にＬＣＤ１０に表示する際、撮影画像ＦＲにおける主要被写体ＳＢの位置に関わらず露出制御するため、主要被写体ＳＢが撮像画面において移動しても、画面の明るさが変化せず安定したライブビュー表示が行える。
【００５９】
ステップＳＴ６では、シャッターボタン９が全押し（Ｓ２）されたかを判定する。ここで、全押しされた場合には、ステップＳＴ７に進み、全押しされていない場合には、ステップＳＴ２に戻る。
【００６０】
ステップＳＴ７では、ステップＳＴ２と同様に、各ＡＦエリアＰ１、Ｐ２、Ｐ３の情報から、主要被写体ＳＢの位置を検出してＡＦを行う。
【００６１】
ステップＳＴ８では、適応測光モードにより、測光を行う。ここでは、図６（ｃ）に示す測光テーブルＴp1、Ｔp2、Ｔp3を用い、主要被写体のＳＢの位置に対応して被写体の輝度を測定する。
【００６２】
ステップＳＴ９では、ステップＳＴ８の測光結果より、ＡＥを行う。すなわち、測光結果に基づき、シャッタースピードと絞り３０２とが設定される。
【００６３】
ステップＳＴ１０では、記録用の本撮影を行って、撮影画像をＬＣＤ１０に表示する。すなわち、ＣＣＤ３０３により撮像された撮影画像信号を、信号処理回路３１３、Ａ／Ｄ変換部２０５を通って画像メモリ２０９に取り込んだ後、全体制御部２１１を介してＬＣＤ１０に表示するとともにメモリカード８に記録する。ここでは、撮影画像における主要被写体ＳＢの位置に応じて露出制御するため、適切な露出制御となり、より適正な撮影画像を取得できることとなる。
【００６４】
以上のようなデジタルカメラ１の露出制御に係る動作により、記録用の撮影の際には適正な露出状態の画像を取得できるとともに、ライブビュー表示の際には安定した画像を表示することができる。
【００６５】
＜変形例＞
◎上記実施形態の固定測光モードについて、中央重点となる測光テーブルＴａを用いるのは必須ではなく、図８に示すようなＸの値に関係なく、重み係数ＧＬが一定である測光テーブルＴｂを用いても良い。
【００６６】
◎上記実施形態のＡＦ方式については、位相差方式などでＡＦを行うものでも良い。
【００６７】
◎上記実施形態のＡＦエリアについては、３つ設けることは必須でなく、２つでも、４つ以上でも良い。また、複数のＡＦエリアを撮影画像の水平方向に配置するのは必須ではなく、垂直方向に配置しても良く、また、２次元マトリクス状に配置しても良い。この場合、適応測光モードの測光テーブルは、これらのＡＦエリアの配置に応じたものを設けるのが好ましい。
【００６８】
◎上記実施形態における主要被写体の位置については、複数のＡＦエリアの情報に基づき検出するのは必須ではなく、撮影画像の色情報に基づき検出したり、主要被写体が特定の動きを伴う場合にはその動きから検出しても良い。
【００６９】
◎上記実施形態のライブビュー画像については、ＬＣＤに表示するのは必須ではなく、電子ビューファインダ（ＥＶＦ）が設けられている場合には、ＥＶＦに表示させても良い。
【００７０】
◎上記実施形態の測光については、あらかじめ定められた測光テーブルにより重み付けを行うのは必須ではなく、所定の関数に基づく演算により重み付けを行っても良い。
【００７１】
◎上記実施形態については、シャッターボタンが半押し（Ｓ１）される前のライブビュー表示の際に、固定測光モードで測光を行っても良い。
【００７２】
【発明の効果】
以上説明したように、請求項１ないし請求項４の発明によれば、記録用撮像を行う際には適応測光モードに設定して主要被写体の検出結果に基づいて測光を行い、被写体像を表示するために連続的撮像を行う際には固定測光モードに設定して主要被写体の検出結果によらない測光を行う。その結果、記録用撮像の際には適正な露出状態の画像を取得できるとともに、ライブビュー表示の際には安定した画像を表示できる。
【００７３】
特に、請求項２の発明については、撮像エリア中の複数の焦点検出エリアにおける被写体の距離情報に基づき主要被写体を検出するため、被写体の位置情報が簡易に取得できる。
【００７４】
また、請求項４の発明においては、記録用の撮影予告に係る操作入力に応答して固定測光モードに設定して露出制御を行うため、記録用の撮影前に安定したライブビュー表示が行え、記録用の撮影を適切に行える。
【図面の簡単な説明】
【図１】本発明の実施形態に係るデジタルカメラ１の要部構成を示す図である。
【図２】デジタルカメラ１の要部構成を示す図である。
【図３】デジタルカメラ１の要部構成を示す図である。
【図４】デジタルカメラ１の要部構成を示す図である。
【図５】デジタルカメラ１の機能ブロック図である。
【図６】デジタルカメラ１におけるＡＦおよびとＡＥを説明する図である。
【図７】デジタルカメラ１の露出制御に係る撮影動作を説明するフローチャートである。
【図８】本発明の変形例に係る測光テーブルを示す図である。
【符号の説明】
１  デジタルカメラ
９  シャッターボタン
１０  液晶ディスプレイ（ＬＣＤ）
２１１  全体制御部
２１１ｂ  フラッシュＲＯＭ
３０１  レンズ
３０２  絞り
３０３  ＣＣＤ
ＳＢ  主要被写体
Ｔａ、Ｔｂ、Ｔp1、Ｔp2、Ｔp3  測光テーブル
【図１】
0003843689.tif 000002
【図２】
0003843689.tif 000003
【図３】
0003843689.tif 000004
【図４】
0003843689.tif 000005
【図５】
0003843689.tif 000006
【図６】
0003843689.tif 000007
【図７】
0003843689.tif 000008
【図８】
0003843689.tif 000009